(57)【要約】  【課題】  サブ側の液晶表示パネルとメイン側の液晶表示装置と有する液晶表示装置で、サブ側液晶表示パネルとメイン側液晶表示パネルとの対向電極駆動信号が近接しているときでも、駆動回路として大きくなりコストアップの要因となる。  【解決手段】  サブ液晶表示パネルの対向電極を交流駆動するサブ対向電極駆動回路１０７と、メイン液晶表示パネルの対向電極を交流駆動するメイン対向電極駆動回路１０８と、サブ対向電極駆動回路及びメイン対向電極駆動回路に電圧を供給する、一系統の対向電極電源回路１０３、１０４とを備え、サブ対向電極駆動回路１０７の出力電圧値とメイン対向電極駆動回路１０８の出力電圧値との差の絶対値が所定の値以下である。【選択図】  図１
2005091627.tif 000002
【特許請求の範囲】
【請求項１】
マトリックス状に配置された第１の信号電極線及び第１の走査電極線、及び前記第１の信号電極線及び第１の走査電極線の交点に設けられた第１の液晶表示素子を有するサブ液晶表示パネルと、
マトリックス状に配置された第２の信号電極及び第２の走査電極線、及び前記第２の信号電極線及び第２の信号電極線の交点に設けられた第２の液晶表示素子を有するメイン液晶表示パネルと、
前記サブ液晶表示パネルの対向電極を交流駆動するサブ対向電極駆動回路と、
前記メイン液晶表示パネルの対向電極を交流駆動するメイン対向電極駆動回路と、
前記サブ対向電極駆動回路及び前記メイン対向電極駆動回路に電圧を供給する、一系統の対向電極電源回路と、
前記第１の走査電極線及び前記第２の走査電極線を駆動する走査電極駆動回路と、
前記第２の信号電極線を駆動する信号電極駆動回路とを備え、
前記サブ対向電極駆動回路の出力電圧値と前記メイン対向電極駆動回路の出力電圧値との差の絶対値が所定の値以下であり、
前記第１の信号電極線の全てのそれぞれは、前記第２の信号電極線の一部のそれぞれに接続されており、
前記サブ液晶表示パネルと前記メイン液晶表示パネルとは同時に表示されることがなく、
前記サブ対向電極駆動回路は、前記対向電極駆動用電源回路から供給される電圧を利用して、入力されてくる第１の制御信号に基づき前記サブ液晶表示パネルの対向電極を駆動し、
前記メイン対向電極駆動回路は、前記対向電極駆動用電源回路から供給される電圧を利用して、入力されてくる第２の制御信号に基づき前記メイン液晶表示パネルの対向電極を駆動し、
前記第１の制御信号と前記第２の制御信号とは、前記サブ対向電極駆動回路の駆動周波数と、前記メイン対向電極駆動回路の駆動周波数とが異なるような信号である、液晶表示装置。
【請求項２】
前記所定の値とは、１ボルト以内である、請求項１記載の液晶表示装置。
【請求項３】
前記第１の制御信号は、前記サブ対向電極駆動回路が１水平期間毎の交流駆動を行うような信号であり、
前記第２の制御信号は、前記メイン対向電極駆動回路がｎ（ｎは１以上の整数）垂直期間毎の交流駆動を行うような信号である、請求項１記載の液晶表示装置。
【請求項４】
前記第１の制御信号は、前記サブ対向電極駆動回路が１垂直期間毎の交流駆動を行うような信号であり、
前記第２の制御信号は、前記メイン対向電極駆動回路がｎ（ｎは１以上の整数）垂直期間毎の交流駆動を行うような信号である、請求項１記載の液晶表示装置。
【請求項５】
送信波をアンテナに出力する送信回路と、
前記アンテナで受信された受信波を入力する受信回路と、
送信される画像及び／または受信された画像を少なくとも表示する表示手段とを備え、
前記表示手段には、請求項１〜４のいずれかに記載の液晶表示装置が用いられている移動体通信端末。
【請求項６】
マトリックス状に配置された第１の信号電極線及び第１の走査電極線、及び前記第１の信号電極線及び第１の走査電極線の交点に設けられた第１の液晶表示素子を有するサブ液晶表示パネルと、
マトリックス状に配置された第２の信号電極及び第２の走査電極線、及び前記第２の信号電極線及び第２の信号電極線の交点に設けられた第２の液晶表示素子を有するメイン液晶表示パネルと、
前記サブ液晶表示パネルの対向電極を交流駆動するサブ対向電極駆動回路と、
前記メイン液晶表示パネルの対向電極を交流駆動するメイン対向電極駆動回路と、
前記第１の走査電極線及び前記第２の走査電極線を駆動する走査電極駆動回路と、
前記第２の信号電極線を駆動する信号電極駆動回路とを備え、
前記サブ対向電極駆動回路の出力電圧値と前記メイン対向電極駆動回路の出力電圧値との差の絶対値が所定の値以下であり、
前記第１の信号電極線の全てのそれぞれは、前記第２の信号電極線の一部のそれぞれに接続されており、
前記サブ液晶表示パネルと前記メイン液晶表示パネルとは同時に表示されることがなく、
前記サブ対向電極駆動回路は、前記対向電極駆動用電源回路から供給される電圧を利用して、入力されてくる第１の制御信号に基づき前記サブ液晶表示パネルの対向電極を駆動し、
前記メイン対向電極駆動回路は、前記対向電極駆動用電源回路から供給される電圧を利用して、入力されてくる第２の制御信号に基づき前記メイン液晶表示パネルの対向電極を駆動し、
前記第１の制御信号と前記第２の制御信号とは、前記サブ対向電極駆動回路の駆動周波数と、前記メイン対向電極駆動回路の駆動周波数とが異なるような信号である、液晶表示装置を駆動する液晶表示装置の駆動方法であって、
一系統の対向電源回路が、前記サブ対向電極駆動回路及び前記メイン対向電極駆動回路に電圧を供給するステップを備えた液晶表示装置の駆動方法。
【発明の詳細な説明】
【技術分野】
【０００１】
本発明は、画像を表示する液晶表示装置、液晶表示装置の駆動方法、移動体通信端末に関するものである。
【背景技術】
【０００２】
携帯電話などに用いられる液晶表示装置は、近年、フリップ形式（折り畳み形式）の端末が普及し、液晶表示画面も従来の１つの画面から２画面を構成するものも現れてきている。このようなフリップ形式の端末では、スピーカや操作キーが配置されている側にメイン側の液晶表示装置が設けられており、スピーカや操作キーが配置されている側とは反対側にサブ側の液晶表示パネルが設けられている。そして、一般的には、フリップが閉じているときに表示されるのがサブ側の液晶表示装置で、フリップを開いているときにはメイン側の液晶表示装置で表示される。従来は、サブ側の液晶表示装置とメイン側の液晶表示装置とは、２つの別々の液晶表示装置で構成されていたが、最近のものは、１つの駆動回路で、２つの液晶表示装置を駆動するタイプも現れてきている。
【０００３】
図５に、このような最近の液晶表示装置のブロック図を示す（例えば、特許文献１参照。）。
【０００４】
図５において、従来の液晶表示装置は、サブ側液晶表示パネル５０１と、メイン側液晶表示パネル５０２は、ともに、マトリックス状に配置された信号電極線５０４及び走査電極線５０３を有し、走査電極線５０３と信号電極線５０４とが交差する交点毎に画素電極が設けられ、この画素電極と対向電極との間に液晶層が設けられているパネルである。
【０００５】
また、フリップを閉じたときに表示するサブ側液晶表示パネル５０１とフリップを開いたときに表示するメイン側液晶表示パネル５０２とがＦＰＣ（フレキシプルプリント基板）５０７により接続されている。そして、このＦＰＣの配線により、メイン側信号電極線とサブ側信号電極線とが接続されており、かつ、サブ側走査電極線を走査電極線駆動回路５０６よりメイン側液晶パネル５０２を通して接続する構成となっている。
【０００６】
さらに、メイン側液晶表示パネル上には、制御信号回路１０９を含む信号電極線駆動回路５０５と、サブ側対向電極駆動信号５０８とメイン側対向電極駆動信号５０９とを発生させる対向電極駆動回路を含む走査電極線駆動回路５０６とが構成されている。
【０００７】
次に、図３と図４を用いて、サブ側対向電極駆動信号５０８とメイン側対向電極駆動信号５０９とを発生させる対向電極駆動回路について説明する。
【０００８】
図４は、対向電極駆動回路の構成図であり、図３は、その駆動波形である。
【０００９】
図４において、サブ側の対向電極駆動信号のＨｉ側のＤＣ電圧は、ＶＣＯＭＨ１発生回路１０３でつくられ、サブ側の対向電極駆動信号のＬｏ側のＤＣ電圧は、ＶＣＯＭＬＩ発生回路１０４でつくられる。
【００１０】
さらに、これらＤＣ電圧を使用して、サブ側液晶表示パネルの対向電極駆動信号ＶＣＯＭ１は、ＶＣＯＭＨ１発生回路１０３のＤＣ電圧と、ＶＣＯＭＬ１発生回路１０４のＤＣ電圧とから、極性信号４０１により制御され、各電圧を選択するスイッチ回路１０７で作られる。ここで、極性信号４０１は、制御信号回路１０９から供給される。
【００１１】
一方、メイン側液晶表示パネル５０２の対向電極駆動信号ＶＣＯＭ２は、メイン側の対向電極駆動信号のＨｉ側のＤＣ電圧を発生させるＶＣＯＭＨ２発生回路１０５と、メイン側の対向電極駆動信号のＬｏ側のＤＣ電圧を発生させるＶＣＯＭＬ２発生回路１０６とで作られたＤＣ電圧とから、極性信号４０１により制御され、各電圧を選択するスイッチ回路１０８で作られる。
【００１２】
このときの信号波形を、図３に示す。すなわち、図３において、ＶＤは、垂直同期信号であり、垂直同期信号は一垂直期間の周期を持っている。また、ＶＣＯＭ１は、サブ側液晶表示パネル５０１の対向電極駆動信号であり、極性信号４０１の周波数に対応した周波数の信号となっており、１水平期間毎に極性が反転している。また、ＶＣＯＭ２は、メイン側液晶表示パネル５０２の対向電極駆動信号であり、極性信号４０１の周波数の対応した周波数の信号となっており、ＶＣＯＭ１と同様に１水平期間毎に極性が反転している。一般に、液晶表示装置は、液晶材料の信頼性や、表示特性を考慮して、図３に示すように１水平期間周期毎、あるいは、１垂直期間毎に交流化駆動され、ＤＣ駆動は行われない。
【００１３】
つまり、図３の例では、サブ側液晶表示パネル５０１の対向電極駆動信号ＶＣＯＭ１波形３０４と、メイン側液晶表示パネル５０２の対向電極駆動信号ＶＣＯＭ２波形３０５は、１つの極性信号４０１に基づき、１水平期間毎、かつ、１垂直期間毎で、交流化がなされている。
【特許文献１】特開２００３−１７７６８４号公報
【発明の開示】
【発明が解決しようとする課題】
【００１４】
しかしながら、従来のサブ側液晶表示パネル５０１とメイン側液晶表示パネル５０２とを、一体駆動回路で構成された液晶表示装置で、サブ側液晶表示パネル５０１と、メイン側液晶表示パネル５０２とを同時に表示させることが使用上なくなってきている。しかしながら、この場合においても、従来の液晶表示装置では、その駆動回路内に対向電極駆動回路をサブ側液晶表示パネル５０１の表示用とメイン側液晶表示パネル５０２の表示用の２系統を搭載している。しかし、対向電極駆動信号の極性を決める駆動回路が、極性信号４０１のように、同一制御信号により制御されているため、サブ側液晶表示パネル５０１の対向電極駆動回路と、メイン側液晶表示パネル５０２の対向電極駆動回路とを独立に制御することができないばかりでなく、同時表示がない場合でも２系統の対向電極駆動回路を動作させる必要がある。
【００１５】
つまりこの方式では、常に動作として、サブ側液晶表示パネル５０１及びメイン側液晶表示パネル５０２の片方が表示しているときは、もう片方が非表示ということとなり、表示している方の対向電極駆動回路のタイミングでしか、非表示となっている方の対向電極駆動回路を駆動できないばかりでなく、サブ側液晶表示パネル５０１とメイン側液晶表示パネル５０２との対向電極駆動信号が近接しており、片方の対向電極駆動回路の電圧だけでも動作が可能となる場合であっても、２系統の対向電極駆動回路を動作させる必要がある。
【００１６】
つまり、表示している方の対向電極駆動回路が１水平期間毎の交流化のような場合、非表示の方の対向電極駆動回路も表示している対向電極駆動回路と同一の１水平期間毎の交流化の駆動となり、非表示の方の対向電極で大きな充放電が発生するため、消費電力が増加する。
【００１７】
また、サブ側液晶表示パネル５０１とメイン側液晶表示パネル５０２との対向電極駆動信号が近接しているときにでも、２系統分の対向電極駆動回路を動作させる必要があり、消費電力増加ばかりでなく、駆動回路として大きくなり、コストアップの要因となる。
【００１８】
また、従来の技術で説明した、サブ側の液晶表示装置とメイン側の液晶表示装置とを、２つの別々の液晶表示装置で構成する場合にも、サブ側液晶表示パネルとメイン側液晶表示パネルとの対向電極駆動信号が近接しているときにでも、２系統分の対向電極駆動回路が動作するので、駆動回路として大きくなり、コストアップの要因となる。
【００１９】
このように、サブ側の液晶表示パネルとメイン側の液晶表示装置と有する液晶表示装置で、サブ側液晶表示パネルとメイン側液晶表示パネルとの対向電極駆動信号が近接しているときでも、２系統分の対向電極駆動回路が動作するので、駆動回路として大きくなりコストアップの要因となるという課題がある。
【００２０】
本発明は、上記課題を考慮し、駆動回路として大きくならず、低コストで製造できる液晶表示装置、液晶表示装置の駆動方法、及び移動体通信端末を提供することを目的とするものである。
【課題を解決するための手段】
【００２１】
上述した課題を解決するために、第１の本発明は、マトリックス状に配置された第１の信号電極線及び第１の走査電極線、及び前記第１の信号電極線及び第１の走査電極線の交点に設けられた第１の液晶表示素子を有するサブ液晶表示パネルと、
マトリックス状に配置された第２の信号電極及び第２の走査電極線、及び前記第２の信号電極線及び第２の信号電極線の交点に設けられた第２の液晶表示素子を有するメイン液晶表示パネルと、
前記サブ液晶表示パネルの対向電極を交流駆動するサブ対向電極駆動回路と、
前記メイン液晶表示パネルの対向電極を交流駆動するメイン対向電極駆動回路と、
前記サブ対向電極駆動回路及び前記メイン対向電極駆動回路に電圧を供給する、一系統の対向電極電源回路と、
前記第１の走査電極線及び前記第２の走査電極線を駆動する走査電極駆動回路と、
前記第２の信号電極線を駆動する信号電極駆動回路とを備え、
前記サブ対向電極駆動回路の出力電圧値と前記メイン対向電極駆動回路の出力電圧値との差の絶対値が所定の値以下であり、
前記第１の信号電極線の全てのそれぞれは、前記第２の信号電極線の一部のそれぞれに接続されており、
前記サブ液晶表示パネルと前記メイン液晶表示パネルとは同時に表示されることがなく、
前記サブ対向電極駆動回路は、前記対向電極駆動用電源回路から供給される電圧を利用して、入力されてくる第１の制御信号に基づき前記サブ液晶表示パネルの対向電極を駆動し、
前記メイン対向電極駆動回路は、前記対向電極駆動用電源回路から供給される電圧を利用して、入力されてくる第２の制御信号に基づき前記メイン液晶表示パネルの対向電極を駆動し、
前記第１の制御信号と前記第２の制御信号とは、前記サブ対向電極駆動回路の駆動周波数と、前記メイン対向電極駆動回路の駆動周波数とが異なるような信号である、液晶表示装置である。
【００２２】
また、第２の本発明は、前記所定の値とは、１ボルト以内である、第１の本発明の液晶表示装置である。
【００２３】
また、第３の本発明は、前記第１の制御信号は、前記サブ対向電極駆動回路が１水平期間毎の交流駆動を行うような信号であり、
前記第２の制御信号は、前記メイン対向電極駆動回路がｎ（ｎは１以上の整数）垂直期間毎の交流駆動を行うような信号である、第１の本発明の液晶表示装置である。
【００２４】
また、第４の本発明は、前記第１の制御信号は、前記サブ対向電極駆動回路が１垂直期間毎の交流駆動を行うような信号であり、
前記第２の制御信号は、前記メイン対向電極駆動回路がｎ（ｎは１以上の整数）垂直期間毎の交流駆動を行うような信号である、第１の本発明の液晶表示装置である。
【００２５】
また、第５の本発明は、送信波をアンテナに出力する送信回路と、
前記アンテナで受信された受信波を入力する受信回路と、
送信される画像及び／または受信された画像を少なくとも表示する表示手段とを備え、
前記表示手段には、第１〜４の本発明のいずれかの液晶表示装置が用いられている移動体通信端末である。
【００２６】
また、第６の本発明は、マトリックス状に配置された第１の信号電極線及び第１の走査電極線、及び前記第１の信号電極線及び第１の走査電極線の交点に設けられた第１の液晶表示素子を有するサブ液晶表示パネルと、
マトリックス状に配置された第２の信号電極及び第２の走査電極線、及び前記第２の信号電極線及び第２の信号電極線の交点に設けられた第２の液晶表示素子を有するメイン液晶表示パネルと、
前記サブ液晶表示パネルの対向電極を交流駆動するサブ対向電極駆動回路と、
前記メイン液晶表示パネルの対向電極を交流駆動するメイン対向電極駆動回路と、
前記第１の走査電極線及び前記第２の走査電極線を駆動する走査電極駆動回路と、
前記第２の信号電極線を駆動する信号電極駆動回路とを備え、
前記サブ対向電極駆動回路の出力電圧値と前記メイン対向電極駆動回路の出力電圧値との差の絶対値が所定の値以下であり、
前記第１の信号電極線の全てのそれぞれは、前記第２の信号電極線の一部のそれぞれに接続されており、
前記サブ液晶表示パネルと前記メイン液晶表示パネルとは同時に表示されることがなく、
前記サブ対向電極駆動回路は、前記対向電極駆動用電源回路から供給される電圧を利用して、入力されてくる第１の制御信号に基づき前記サブ液晶表示パネルの対向電極を駆動し、
前記メイン対向電極駆動回路は、前記対向電極駆動用電源回路から供給される電圧を利用して、入力されてくる第２の制御信号に基づき前記メイン液晶表示パネルの対向電極を駆動し、
前記第１の制御信号と前記第２の制御信号とは、前記サブ対向電極駆動回路の駆動周波数と、前記メイン対向電極駆動回路の駆動周波数とが異なるような信号である、液晶表示装置を駆動する液晶表示装置の駆動方法であって、
一系統の対向電源回路が、前記サブ対向電極駆動回路及び前記メイン対向電極駆動回路に電圧を供給するステップを備えた液晶表示装置の駆動方法である。
【発明の効果】
【００２７】
本発明は、駆動回路として大きくならず、低コストで製造できる液晶表示装置、液晶表示装置の駆動方法、及び移動体通信端末を提供することが出来る。
【発明を実施するための最良の形態】
【００２８】
以下に、本発明の実施の形態を図面を参照して説明する。
【００２９】
図１に、本実施の形態の液晶表示装置の対向電極駆動回路の構成を示す。また、図２には、その駆動波形を示す。なお、本実施の形態の液晶表示装置のうち図１に示す対向電極駆動回路以外の部分については、従来の液晶表示装置と同様であるので、詳細な説明を省略する。
【００３０】
本実施の形態の液晶表示装置の対向電極駆動回路は、ＶＣＯＭＨ１発生回路１０３、ＶＣＯＭＬ１発生回路１０４、スイッチ回路１０７、スイッチ１０８、制御信号回路１０９ａ等から構成される。
【００３１】
制御信号回路１０９ａは、スイッチ回路１０７及びスイッチ回路１０８にそれぞれ極性信号Ａ１０１及び極性信号Ｂ１０２を供給する回路である。
【００３２】
ＶＣＯＭＨ１発生回路１０３は、サブ側液晶表示パネル５０１の対向電極駆動信号のＨｉ側のＤＣ電圧と、メイン液晶表示パネル５０２の対向電極駆動信号のＨｉ側のＤＣ電圧とを供給する回路である。
【００３３】
ＶＣＯＭＬ１発生回路１０４は、サブ側液晶表示パネル５０１の対向電極駆動信号のＬｏ側のＤＣ電圧と、メイン側液晶表示パネル５０２の対向電極駆動信号のＬｏ側のＤＣ電圧とを供給する回路である。
【００３４】
スイッチ回路１０７は、極性信号Ａ１０１に制御されることによって、サブ側液晶表示パネル５０１の対向電極駆動信号を生成する回路である。
【００３５】
スイッチ回路１０８は、極性信号Ｂ１０２に制御されることによって、メイン側液晶表示パネル５０２の対向電極駆動信号を生成する回路である。
【００３６】
なお、本実施の形態のスイッチ回路１０７は本発明のサブ対向電極駆動回路の例であり、本実施の形態のスイッチ回路１０８は本発明のメイン対向電極駆動回路の例であり、本実施の形態のＶＣＯＭＨ１発生回路１０３及びＶＣＯＭＬ１発生回路１０４は本発明の対向電極電源回路の例である。
【００３７】
次に、このような本実施の形態の動作を説明する。
【００３８】
以下の説明では、サブ側液晶表示パネルが画像表示をしており、メイン側液晶表示パネルが非表示状態時について、例を挙げて、説明する。
【００３９】
図１において、サブ側液晶表示パネル５０１の対向電極駆動信号のＨｉ側のＤＣ電圧は、ＶＣＯＭＨ１発生回路１０３でつくられ、サブ側液晶表示パネル５０１の対向電極駆動信号のＬｏ側のＤＣ電圧は、ＶＣＯＭＬ１発生回路１０４でつくられる。
【００４０】
さらに、これらのＤＣ電圧を使用して、サブ側液晶表示パネル５０１の対向電極駆動信号ＶＣＯＭ１は、スイッチ回路１０７により生成される。すなわち、スイッチ回路１０７が、極性信号Ａ１０１によって制御され、ＶＣＯＭＨ１発生回路１０３のＤＣ電圧と、ＶＣＯＭＬ１発生回路１０４のＤＣ電圧とのいずれかを選択することによって、サブ側液晶表示パネル５０１の対向電極駆動信号が生成される。
【００４１】
一方、メイン側液晶表示パネル５０２の対向電極駆動信号ＶＣＯＭ２は、サブ側液晶表示パネル５０１と同一のＶＣＯＭＨ１発生回路１０３で作成されたものを使用し、メイン側液晶表示パネル５０２の対向電極駆動信号のＬｏ側のＤＣ電圧は、サブ側液晶表示パネル５０１と同一のＶＣＯＭＬ１発生回路１０４で作成される。そして、スイッチ回路１０８が極性信号Ｂ１０２により制御され、ＶＣＯＭＨ１発生回路１０３のＤＣ電圧と、ＶＣＯＭＬ１発生回路１０４のＤＣ電圧とのいずれかを選択することによって、メイン側液晶表示パネル５０２の対向電極駆動信号が生成される。
【００４２】
このときの信号波形を図２に示す。図２の例２０２において、ＶＤ２０１は、垂直同期信号の波形であり、ＶＣＯＭ１（２０４）はサブ側液晶表示パネル５０１の対向電極駆動信号の波形であり、ＶＣＯＭ２（２０５）はメイン側液晶表示パネル５０２の対向電極駆動信号の波形である。また、図２の例２０３において、ＶＤ（２０１）は、垂直同期信号の波形であり、ＶＣＯＭ１（２０６）はサブ側液晶表示パネル５０１の対向電極駆動信号の波形であり、ＶＣＯＭ２（２０７）はメイン側液晶表示パネル５０２の対向電極駆動信号の波形である。
【００４３】
図２に示す例２０２の場合、サブ側液晶表示パネル５０１の対向電極駆動信号ＶＣＯＭ１波形２０４と、メイン側液晶表示パネル５０２の対向電極駆動信号ＶＣＯＭ２波形２０５は、個々の極性信号である極性信号Ａ１０１及び極性信号Ｂ１０２に、それぞれ基づき、サブ側液晶表示パネル５０１では１水平期間毎、かつ、１垂直期間毎の交流化がなされ、メイン側液晶表示パネル５０２では１垂直期間毎の交流化がなされている。
【００４４】
また、図２に示す例２０３の場合、極性信号Ａ１０１と、極性信号Ｂ１０２に、それぞれ基づき、サブ側液晶表示パネル５０１の対向電極駆動信号ＶＣＯＭ１波形２０６では、１垂直期間毎の交流化がなされ、メイン側液晶表示パネル５０２の対向電極駆動信号ＶＣＯＭ２波形２０７では２垂直期間毎の交流化がなされている。
【００４５】
ここで、この液晶表示装置は、サブ側液晶表示パネル５０１とメイン側表示パネル５０２の対向電極駆動電圧が近接しているため、サブ側液晶表示パネル５０１の対向電極の駆動電圧で、メイン側液晶表示パネル５０２の対向電極を駆動しても、液晶材料等にＤＣ電圧による信頼性的な劣化が発生しない。ここで、サブ側液晶表示パネル５０１とメイン側液晶表示パネル５０２の対向電極駆動電圧が近接しているとは、サブ側液晶表示パネル５０１の対向電極駆動電圧とメイン側液晶表示パネル５０２の対向電極駆動電圧との差の絶対値が１ボルト以下であることを意味している。このような場合には、サブ側液晶表示パネル５０１の対向電極の駆動電圧で、メイン側液晶表示パネル５０２の対向電極を駆動しても、液晶材料等にＤＣ電圧による信頼性的な劣化が発生しない。
【００４６】
また、この逆の場合であるメイン側液晶表示パネル５０２の対向電極の駆動電圧で、サブ側液晶表示パネル５０１の対向電極を駆動しても同様なことがいえる。
【００４７】
つまり、サブ側液晶表示パネル５０１の対向電極駆動信号ＶＣＯＭ１のＨｉ側と、メイン側液晶表示パネル５０２の対向電極駆動信号ＶＣＯＭ２のＨｉ側はＶＣＯＭＨ１発生回路１０３の１系統より発生させることにより作られ、サブ側液晶表示パネル５０１の対向電極駆動信号ＶＣＯＭ１のＬｏ側と、メイン側液晶表示バネル５０２の対向電極駆動信号ＶＣＯＭ２のＬｏ側はＶＣＯＭＬ１発生回路１０４の１系統より発生させることにより作られるだけでよい構成となる。従って、液晶表示装置の部品点数を低減することが出来るとともに、液晶表示装置の製造コストを削減することが出来る。
【００４８】
よって、サブ側液晶表示パネル５０１が映像表示で、メイン側液晶表示パネル５０２が非表示であった場合、対向電極駆動回路のタイミングを個々に制御でき、かつ、１系統の対向電極駆動回路でサブ用、メイン用の対向電極駆動信号を作成するため、表示しているサブ側が１水平期間毎、かつ、１垂直期間毎の交流化のような場合、非表示側のメイン側は、表示部と同一の１水平期間毎の交流化とする必要がなく、非表示側の液晶パネルの対向電極を充放電を低減することができ、かつ、同一回路によりこれら対向電極駆動信号を作成するため、消費電力を低下させるばかりでなく、上述したように駆動回路の低コスト化も同時にはかることができる。
【００４９】
なお、本実施の形態では、図１の構成の液晶表示装置について説明したが、これに限らない。例えば、図４の液晶表示装置の構成のように、スイッチ回路１０７及びスイッチ回路１０８には１系統の極性信号４０１を供給する構成も可能である。ただし、この場合、図１に示すように、サブ側液晶表示パネル５０１の対向電極駆動信号ＶＣＯＭ１のＨｉ側と、メイン側液晶表示パネル５０２の対向電極駆動信号ＶＣＯＭ２のＨｉ側はＶＣＯＭＨ１発生回路１０３の１系統より発生させることにより作られ、サブ側液晶表示パネル５０１の対向電極駆動信号ＶＣＯＭ１のＬｏ側と、メイン側液晶表示バネル５０２の対向電極駆動信号ＶＣＯＭ２のＬｏ側はＶＣＯＭＬ１発生回路１０４の１系統より発生させるものとする。このような場合には消費電力を低減するという効果は有さないが、液晶表示装置を小型化し、製造コストを低減する効果は得ることが出来る。
【００５０】
さらに、従来の技術で説明した、サブ側の液晶表示装置とメイン側の液晶表示装置とを、２つの別々の液晶表示装置で構成する場合でも、サブ側液晶表示パネルとメイン側液晶表示パネルとの対向電極駆動信号が近接している場合には、図１で説明したように、サブ側液晶表示パネル５０１の対向電極駆動信号ＶＣＯＭ１のＨｉ側と、メイン側液晶表示パネル５０２の対向電極駆動信号ＶＣＯＭ２のＨｉ側はＶＣＯＭＨ１発生回路１０３の１系統より発生させることにより作られ、サブ側液晶表示パネル５０１の対向電極駆動信号ＶＣＯＭ１のＬｏ側と、メイン側液晶表示バネル５０２の対向電極駆動信号ＶＣＯＭ２のＬｏ側はＶＣＯＭＬ１発生回路１０４の１系統より発生させるものとしても構わない。このようにすれば、液晶表示装置を小型化し、製造コストを低減するという効果を得ることが出来る。
【００５１】
なお、送信波をアンテナに出力する送信回路と、前記アンテナで受信された受信波を入力する受信回路と、送信される画像及び／または受信された画像を少なくとも表示する表示手段とを備え、前記表示手段には、本発明の液晶表示装置が用いられている移動体通信端末も本発明に属する。
【００５２】
このように、本実施の形態によれば、非表示側の対向電極の充放電を抑制し、かつ、不要な対向電極駆動回路を１つにすることができ、消費電力が少なくすることができるばかりでなく、低コスト化も実施できる。
【００５３】
また液晶表示装置が組み込まれている携帯電話端末の待ち受け時、つまり、メイン側液晶表示パネルが非表示で、かつ、サブ側液晶表示パネルが表示しているときは、本発明による低消費電力化で、待ち受け時間の延長が可能となる液晶表示装置、及び液晶表示装置の駆動方法を提供することが出来る。
【産業上の利用可能性】
【００５４】
本発明にかかる液晶表示装置、液晶表示装置の駆動方法、及び移動体通信端末は、駆動回路として大きくならず、低コストで製造できる効果を有し、画像を表示する液晶表示装置、液晶表示装置の駆動方法、移動体通信端末等に有用である。
【図面の簡単な説明】
【００５５】
【図１】本発明の実施の形態における液晶表示装置の対向電極駆動回路の構成を示すブロック図
【図２】本発明の実施の形態における対向電極信号波形を示す波形図
【図４】従来の液晶表示装置の対向電極駆動回路の構成を示すブロック図
【図３】従来の液晶表示装置の対向電極信号波形を示す波形図
【図５】液晶表示装置の構成を示す構成図
【符号の説明】
【００５６】
１０１  極性信号Ａ
１０２  極性信号Ｂ
１０３  ＶＣＯＭＨ１発生回路
１０４  ＶＣＯＭＬ１発生回路
１０７  スイッチ回路
１０８  スイッチ回路
１０９  制御信号回路
１０９ａ  制御信号回路
２０１  ＶＤ（垂直同期信号）
２０２  例
２０３  例
２０４  対向電極駆動信号ＶＣＯＭ１波形  
２０５  対向電極駆動信号ＶＣＯＭ２波形
２０６  対向電極駆動信号ＶＣＯＭ１波形  
２０７  対向電極駆動信号ＶＣＯＭ２波形
【図１】
2005091627.tif 000003
【図２】
2005091627.tif 000004
【図３】
2005091627.tif 000005
【図４】
2005091627.tif 000006
【図５】
2005091627.tif 000007